(57)【要約】【課題】製造が容易で、かつ対物レンズと回折素子との高精度な位置決めを行うことができるレンズアクチュエータを提供する。【解決手段】対物レンズ２と回折素子３とを、回折素子３の光軸を対物レンズ２の光軸に対して傾けて、それぞれ単一のレンズホルダ１に設けて位置決め固定する構成にすることにより、容易に対物レンズ２と回折素子３との高精度な位置決めを製造容易な構成で可能にする。また回折素子３を対物レンズ２の光軸に対して傾けて取り付けることにより、正反射による光学的外乱を防ぐことができる。【選択図】図１
2009004025.tif 000002
【特許請求の範囲】
【請求項１】
光記録媒体に対して光ビームを集光する対物レンズを筺体に設け、前記対物レンズを前記筺体とともに前記光記録媒体に対して少なくともフォーカス方向とトラッキング方向とに駆動するレンズアクチュエータにおいて、
複数の異なる波長の光源に対する複数種類の規格の光記録媒体に対して互換性を付与するための回折素子を、該回折素子の回折面を前記対物レンズの光軸に対して傾け、かつ対物レンズ側回折面の回折パターン中心を前記対物レンズの光軸上で略一致させて前記筐体に設置したことを特徴とするレンズアクチュエータ。
【請求項２】
前記筐体には対物レンズ光軸と同軸で内面が円筒面となる円筒穴と、前記対物レンズ光軸に垂直な平面に対して傾斜した傾斜面が形成され、
前記回折素子には回折素子光軸と同軸の円筒となる側面を有する軸形状と、前記回折素子光軸に垂直な平面が形成され、
前記筐体の円筒穴に前記回折素子の軸形状を挿入して、前記筐体の傾斜面と前記回折素子の平面、および前記筐体の円筒面と前記回折素子の側面を当接することで傾斜させて位置決めする構造とし、
前記回折素子の軸形状が、前記対物レンズ側に向かって先細り断面でその勾配βと、前記対物レンズ光軸と前記傾斜面との交差角度αのとき、「α＝β」の条件を満足することを特徴とする請求項１記載のレンズアクチュエータ。
【請求項３】
前記筐体には対物レンズ光軸と同軸で内面が円筒面となる円筒穴と、前記対物レンズ光軸に垂直な平面に対して傾斜した傾斜面が形成され、
前記回折素子には回折素子光軸と同軸の円筒となる側面を有する軸形状と、前記回折素子光軸に垂直な平面が形成され、
前記筐体の円筒穴に前記回折素子の軸形状を挿入して、前記筐体の傾斜面と前記回折素子の平面、および前記筐体の円筒面と傾斜面とのなす角部と前記回折素子の側面と平面とのなす角部を当接することで傾斜させて位置決めする構造とし、
前記回折素子の軸形状が、前記対物レンズ側に向かって先細り断面でその勾配βと、前記対物レンズ光軸と前記傾斜面との交差角度αのとき、「α＞β（ただし、β＜９０°）」の条件を満足することを特徴とする請求項１記載のレンズアクチュエータ。
【請求項４】
前記回折素子の軸形状で対物レンズ側に向かって先細り断面での勾配は、前記回折素子を形成する射出成形に必要な抜け勾配を利用することを特徴とする請求項２または３記載のレンズアクチュエータ。
【請求項５】
光記録媒体に対して光ビームを集光する対物レンズと、前記対物レンズを前記光記録媒体に対して少なくともフォーカス方向とトラッキング方向とに駆動するレンズアクチュエータと、前記光記録媒体からの反射ビームから光学的情報を得る手段を備えた光ピックアップにおいて、
前記レンズアクチュエータとして請求項１〜４いずれか１項に記載のレンズアクチュエータを搭載したことを特徴とする光ピックアップ。
【請求項６】
光ピックアップを備え、光学的に光記録媒体に対して情報の記録および／または再生を行う光学式記録／再生装置において、
前記光ピックアップとして請求項５記載の光ピックアップを搭載したことを特徴とする光学式記録／再生装置。
【発明の詳細な説明】
【技術分野】
【０００１】
本発明は、光記録媒体に対して光ビームを集光する対物レンズを搭載した筐体と、複数種類の規格の光記録媒体に対して記録再生の互換性を付与する回折素子とのアライメント精度を向上し、対物レンズを光記録媒体に対して少なくともフォーカス方向とトラッキング方向とに駆動するレンズアクチュエータ、および、そのレンズアクチュエータを搭載した光ピックアップならびに光学式記録／再生装置に関するものである。
【背景技術】
【０００２】
図７（ａ）〜（ｃ）は従来の対物レンズアクチュエータを搭載した光ピックアップ装置の構成図であって、（ａ）は正面図、（ｂ）は側面図、（ｃ）は底面図を示す。
【０００３】
図７において、可動部のレンズホルダ１は、図示しない光ディスクに対して光ビームを集光させてビームスポットを形成させる対物レンズ２と回折素子３を保持する筐体であり、フォーカス用の駆動コイル４とトラッキング用の駆動コイル５とが取り付けられ、サスペンション兼コイル給電線となる支持ばね６を介して固定側ベース７に取り付けられている。固定側ベース７は磁気回路の背面ヨークを兼ねマグネット８が取り付けられており、この磁場の中にレンズホルダ１の駆動コイル４，５が配置されている。
【０００４】
前記構造では、レンズホルダ１の上下に対物レンズ２と回折素子３が取り付けられており、レンズホルダ１全体に対する、主として対物レンズ２と回折素子３との慣性一次モーメントを打ち消すように、放熱板を兼ねる慣性バラスト９が設けられている。
【０００５】
しかし、従来例では、回折素子を搭載したアクチュエータの可動部構造の軽量高剛性化と回折素子の熱損傷防止とを図ることができるが、回折素子の取付け精度や角度については考慮されておらず、対物レンズと回折素子が完全な一致同軸の取付けのままでは、回折素子の平面部の正反射が戻り光としてフレアーを発生し、偽信号などを生じさせるという課題がある。
【０００６】
前記フレアーの回避に関しては、特許文献１に、この問題を回避する一例が提示されているが、後述する可動部構造の機能や信頼性に対する課題がある。
【０００７】
また、回折素子の斜め配置によるフレアー防止対策が提示され、このような斜め配置、つまり対物レンズ光軸に対して回折素子を傾けて配置する構造が提案されているが、その傾き、あるいは、その状態での位置決め精度確保を考慮したものではない。
【特許文献１】特開２００６−１３９８７４号公報
【発明の開示】
【発明が解決しようとする課題】
【０００８】
通常、軸周り回転体となる光学素子は、その製作し易さや取付け精度を高めるために、外形に円筒または円柱形状の軸部を設け、これらを取り付ける相手の部材に丸孔あるいは段付丸孔を設けて、丸形孔と軸との嵌合による位置決めを行うことになる。
【０００９】
同心状の回折素子を互換用素子として使用する場合には、機能を満足するため、次のような事項が必要となる。第１として、対物レンズ光軸と回折素子光軸を高精度に位置決めする必要があり、第２として、互換用回折素子の両面は階段状の段差をもつが、その各階段状の端面は平面であるために、各段の平面の積分は有効径全体の平面と等価であり、正反射によるフレアーを防止するために、レンズ光軸に対して各段の平面部を垂直から若干傾ける必要がある。
【００１０】
この場合に、レンズ光軸に対して高精度位置決めを行うべき回折素子中心は、両面のうちで対物レンズ側の面の略中心ということになる。また近年、より高密度化したＢＤ系（Blu-ray Disc規格）あるいはＨＤ系（HD-DVD規格）の光ピックアップが開発されており、例えばＣＤ系、ＤＶＤ系およびＢＤ系、あるいはＣＤ系、ＤＶＤ系およびＨＤ系に対応した３波長互換タイプの対物レンズに対するニーズがある。この種の対物レンズでは、一般的に、ＢＤ系あるいはＨＤ系に対して収差補正された対物レンズ本体に、回折素子によりＣＤ系およびＤＶＤ系に対する互換性を与える構成を有するため、回折素子の対物レンズ本体に対する位置や傾き、特に、回折素子に形成させる位相構造の対物レンズ本体に対するシフト偏心が長波長側のＣＤ系やＤＶＤ系の結像特性に重大な影響を与えることになる。
【００１１】
このために、今後使用される３波長以上の光源を利用する互換光学系用の回折素子の場合には、従来の２波長の波長選択あるいは開口制限素子と比較して、非常に高い精度の位置決めを求められ、回折素子のアライメントに数ミクロンの精度が要求される。
【００１２】
ところで、傾けた面の中心を高精度で位置決めするには、相手側の部材、例えば図７に示すようなレンズアクチュエータにおける可動筐体であるレンズホルダ１に、対物レンズ２に対する穴に対して傾いた穴を設ける必要がある。ところが、このような形状は対物レンズ光軸と平行な軸で、例えば図８（ａ）のＡ−Ａ’線の断面からこの穴を観察すると、図８（ｂ）のように楕円形に近似される投影形状となる。一般論としては、回折素子３の嵌合用の傾斜した円筒穴１ａ（図９（ｂ）参照）はスライド型などを使用する案がある。しかし、実際に小型でレンズホルダ１上部の光学有効径穴の精度等を両立したものを安定して製造することは困難である。つまり部品が製造できない、あるいは製造できても組み付けに必要な精度が満足できない、組み付け作業が困難であるなどの問題が発生する。
【００１３】
また、前記のような製造が困難な形状を作成する部材を使用すると、信頼性に問題が発生する可能性が高くなる。
【００１４】
また、回折素子は一般に平板の素子となるが、このような平板素子を光ピックアップに搭載する場合、フレアー光への配慮が必要となる。光源から対物レンズへ向かう光ビームの一部は、各光学部品の入射面において、透過せずに正反射光となる。回折素子（収差補正）を入射光に対して垂直に配置した場合(図１０参照)、その正反射光が光記録媒体からの反射光、すなわち信号光と重なってしまい、ノイズ光となる場合がある。この対処手段として、光学部品への入射面をわずかに傾ける方法がある。しかし、対物レンズ本体の光軸と位相制御素子の光軸とを平行に保つことが基本的な前提であり、両者が傾いた場合、アライメント精度が低下することになる。
【００１５】
さらに、回折素子の材料としては、ガラスや樹脂、あるいはガラス基板上にＵＶ樹脂層を設けて、この樹脂層に回折構造を設けたものであれば良いが、ガラスと比べて軽く、成型加工が容易、かつ大量生産がしやすいという観点から樹脂による射出成型が望まれる。回折素子を射出成形で製造する場合に、金型から取り出すための抜け勾配が必要となる。この抜け勾配がないと成形後の部品を取り出すことができなかったり、取り出し時に光学特性に悪影響を与える歪みを生じさせたりする問題がある。  
【００１６】
つまり、射出成形部品を想定する場合に金型からの取り出しや歪みによる光学特性への影響を考慮すると、抜け勾配が必要となることは明らかである。回折素子の嵌合軸に抜け勾配を与えると根元と先端において径が異なるために、嵌め合いのガタが大きくなって位置決め精度が劣化することになる。したがって、レンズホルダに対して抜け勾配のある回折素子を組み付けた場合には、必要な取付け精度を満たすことは困難となる。
【００１７】
特許文献１では、専用鏡枠に組み込み品として提供する場合の例が示されているが、このような専用鏡枠の使用は可動筐体の大型化を招き、これらに対するバランスウェイトの質量も増大させるため、大型化と質量増大による感度低下、あるいは高次共振周波数の低下を招き易い、特に、鏡枠を使用した全体の質量と慣性モーメントの大きいレンズ組み込み品を上部のみ接着などで固着することは、接合剛性の不足により高次共振特性劣化への影響が非常に大きい。
【００１８】
本発明は、前記従来技術の問題を解決することに指向するものであり、対物レンズと回折素子とを、製造が容易で高精度な位置決め、調整を行うことのできるレンズアクチュエータおよび光ピックアップ装置ならびに光学式記録／再生装置を提供することを目的とする。
【課題を解決するための手段】
【００１９】
前記の目的を達成するために、本発明に係る請求項１に記載の発明は、光記録媒体に対して光ビームを集光する対物レンズを筺体に設け、対物レンズを筺体とともに光記録媒体に対して少なくともフォーカス方向とトラッキング方向とに駆動するレンズアクチュエータにおいて、複数の異なる波長の光源に対する複数種類の規格の光記録媒体に対して互換性を付与するための回折素子を、この回折素子の回折面を対物レンズの光軸に対して傾け、かつ対物レンズ側回折面の回折パターン中心を対物レンズの光軸上で略一致させて筐体に設置したことを特徴とし、この構成によって、対物レンズと回折素子とを単一の筐体に位置決め固定することにより、小型軽量な可動部をもつアクチュエータを提供できるとともに、回折素子を対物レンズの光軸に対して傾けて取り付けることにより、正反射による光学的外乱を防ぎ、良好な集光スポットを得ることができる。
【００２０】
請求項２に記載の発明は、請求項１記載のレンズアクチュエータにおいて、筐体には対物レンズ光軸と同軸で内面が円筒面となる円筒穴と、対物レンズ光軸に垂直な平面に対して傾斜した傾斜面が形成され、回折素子には回折素子光軸と同軸の円筒となる側面を有する軸形状と、回折素子光軸に垂直な平面が形成され、筐体の円筒穴に回折素子の軸形状を挿入して、筐体の傾斜面と回折素子の平面、および筐体の円筒面と回折素子の側面を当接することで傾斜させて位置決めする構造とし、回折素子の軸形状が、対物レンズ側に向かって先細り断面でその勾配βと、対物レンズ光軸と傾斜面との交差角度αのとき、「α＝β」の条件を満足することを特徴とし、この構成によって、小型軽量な可動部をもつアクチュエータを得るとともに、回折素子を対物レンズの光軸に対して傾けて取り付けることで正反射による光学的外乱を防ぎ、かつ高精度に位置決めをして、良好な集光スポットを得ることができる。
【００２１】
請求項３に記載の発明は、請求項１記載のレンズアクチュエータにおいて、筐体には対物レンズ光軸と同軸で内面が円筒面となる円筒穴と、対物レンズ光軸に垂直な平面に対して傾斜した傾斜面が形成され、回折素子には回折素子光軸と同軸の円筒となる側面を有する軸形状と、回折素子光軸に垂直な平面が形成され、筐体の円筒穴に回折素子の軸形状を挿入して、筐体の傾斜面と回折素子の平面、および筐体の円筒面と傾斜面とのなす角部と回折素子の側面と平面とのなす角部を当接することで傾斜させて位置決めする構造とし、回折素子の軸形状が、対物レンズ側に向かって先細り断面でその勾配βと、対物レンズ光軸と傾斜面との交差角度αのとき、「α＞β（ただし、β＜９０°）」の条件を満足することを特徴とし、この構成によって、小型軽量な可動部をもつアクチュエータを得るとともに、回折素子を対物レンズの光軸に対して傾けて取り付けることで正反射による光学的外乱を防ぎ、かつ高精度に位置決めをして、良好な集光スポットを得ることができる。
【００２２】
請求項４に記載の発明は、請求項２，３記載のレンズアクチュエータにおいて、回折素子の軸形状で対物レンズ側に向かって先細り断面での勾配は、回折素子を形成する射出成形に必要な抜け勾配を利用することを特徴とし、この構成によって、射出成形部品に必要な抜け勾配を利用することで、回折素子の取付けを簡略化するとともに、高精度な位置決めを行うことができる。
【００２３】
請求項５に記載の発明は、光記録媒体に対して光ビームを集光する対物レンズと、対物レンズを光記録媒体に対して少なくともフォーカス方向とトラッキング方向とに駆動するレンズアクチュエータと、光記録媒体からの反射ビームから光学的情報を得る手段を備えた光ピックアップにおいて、レンズアクチュエータとして請求項１〜４いずれか１項に記載のレンズアクチュエータを搭載したことを特徴とし、この構成によって、信頼性のあるレンズアクチュエータを搭載したことにより、製造容易な、良好でかつ安定した光学的情報のピックアップが可能になる。
【００２４】
請求項６に記載の発明は、光ピックアップを備え、光学的に光記録媒体に対して情報の記録および／または再生を行う光学式記録／再生装置において、光ピックアップとして請求項５記載の光ピックアップを搭載したことを特徴とし、この構成によって、信頼性のあるレンズアクチュエータを搭載したことにより、製造容易な、良好でかつ安定した光学的情報の記録および／または再生が可能になる。
【発明の効果】
【００２５】
本発明に係るレンズアクチュエータによれば、対物レンズと回折素子とを、それぞれ単一の筺体に位置決め固定することにより、製造容易で高精度な位置決めを行うことができ、小型軽量な可動部をもつアクチュエータを提供できるとともに、回折素子を対物レンズの光軸に対して傾けて取り付けることにより、正反射による光学的外乱を防ぐことができる。
【００２６】
また、本発明に係る光ピックアップ装置，光学式記録再生装置によれば、本発明に係るレンズアクチュエータを搭載したことにより、良好かつ安定した光学的な記録／再生が行うことができるという効果を奏する。
【発明を実施するための最良の形態】
【００２７】
以下、図面を参照して本発明における実施の形態を詳細に説明する。
【００２８】
本実施形態は、図７に示す光ピックアップにおけるレンズアクチュエータの構成を、対物レンズ２と回折素子３とを保持する筺体であるレンズホルダ１における対物レンズ２と回折素子３との取付け構造を除いて、採用することができる。
【００２９】
以下の説明では、図７にて説明した構成部材に対応し同等の機能を有するものには同一符号を付して詳しい説明は省略し、レンズアクチュエータの要部を説明することにする。
【００３０】
図１は本発明の実施形態１のレンズアクチュエータにおけるレンズホルダの一部断面図であって、筺体であるレンズホルダ１は、中央部に光学系の光線有効径の穴があり、上部に対物レンズ２を設け、下部に回折素子３を設けている。
【００３１】
本レンズアクチュエータは光ピックアップ用のものであり、対物レンズ２が光記録媒体である光ディスク（図示せず）に対して光ビームを集光させてビームスポットを形成させ、また、回折素子３が少なくとも３種の波長の光ビームに対する３種類以上のディスク規格の光ディスクに対して互換性を付与するために機能する（後で詳述する）。
【００３２】
本実施形態１において、前述した図９（ｂ）の従来例では、円筒穴１ａを対物レンズ光軸Ｌ１に対し傾斜させて形成する形状なので、高精度に作成することが困難である。一方、本実施形態１ではレンズホルダ１に前記のような傾斜した円筒穴は設けずに、図１に示すようなレンズホルダ１と同軸の円筒穴１ａとし、かつ射出成形部品に必要な抜け勾配を利用することにより高精度な位置決めを可能としている。
【００３３】
つまり、レンズホルダ１には対物レンズ光軸Ｌ１と同軸となる円筒穴１ａと、対物レンズ光軸Ｌ１に垂直な平面に対して傾斜した傾斜面１ｂを形成し、この傾斜面１ｂに回折素子３の平面３ｂを当接することにより位置決めを行っている。例えば、この位置決めを行うためレンズホルダ１に円筒穴１ａおよび傾斜面１ｂを形成するには、図２に示すように、金型１０ａ，１０ｂにより成型後に金型１０ａ，１０ｂを上下に抜くことで、傾斜面１ｂと円筒面１ｃを形成できる。
【００３４】
レンズホルダ１の傾斜面１ｂと円筒面１ｃに回折素子３の平面３ｂと側面３ｃを当接し、図１に示すように回折素子３の抜け勾配βを対物レンズ光軸Ｌ１に垂直な平面に対する傾斜面の角度αを等しくすることで精度良く位置決めを行うことができる。
【００３５】
なお、回折素子３の外形形状、回折素子３の平面は図１に示すようなテーパー形状でなくても良い。また、レンズホルダ１の形状も図１に限定したものでなくても良い。
【００３６】
図３は本発明の実施形態２のレンズアクチュエータにおけるレンズホルダの一部断面図であって、レンズホルダ１には、対物レンズ光軸Ｌ１と同軸の中央部に光学系の光線有効径の穴である円筒穴１ａを有し、対物レンズ光軸Ｌ１に垂直な平面に対して傾斜した傾斜面１ｂを形成している。この傾斜面１ｂに回折素子３の平面３ｂを当接して、さらにレンズホルダ１の円筒穴１ａの円筒面１ｃに接する回折素子３の外形円筒となる側面３ｃとで位置決めを行っている。
【００３７】
図４は本発明の実施形態３のレンズアクチュエータにおけるレンズホルダの一部断面図である。前記した実施形態２では、レンズホルダ１の端面に位置する傾斜面１ｂと対物レンズ光軸Ｌ１との交差角度αは、回折素子３の射出成形に必要な抜け勾配βと一致させたが、レンズホルダ１の端面に位置する傾斜面１ｂと対物レンズ光軸Ｌ１との交差角度αは、回折素子３の抜け勾配βより大きくても良く、本実施形態３では、この例について説明する。
【００３８】
本実施形態３においても、レンズホルダ１には対物レンズ光軸Ｌ１と同軸となる円筒穴１ａと、対物レンズ光軸Ｌ１に垂直な平面に対して傾斜した傾斜面１ｂを形成し、この傾斜面１ｂに回折素子３の平面３ｂを当接して、さらに、レンズホルダ１の角部１ｄ（傾斜面１ｂと円筒面１ｃとによって形成される）と回折素子３の角部３ｄ（平面３ｂと側面３ｃとによって形成される）とにより位置決めを行っている。
【００３９】
図５は本発明に係る前記各実施形態の構成の対物レンズアクチュエータを搭載した光ピックアップの概略構成図であり、単一の対物レンズ３８において、異なる光源波長を用いて、３種類の光記録媒体（ＢＤ系，ＤＶＤ系，ＣＤ系）を異なる開口数：ＮＡで記録または再生を行う互換型の光ピックアップである。
【００４０】
ＢＤ系、ＤＶＤ系，ＣＤ系の光記録媒体３９ａ，３９ｂ，３９ｃの基板厚は、それぞれ０．１ｍｍ，０．６ｍｍ，１．２ｍｍであり、またＢＤ系，ＤＶＤ系，ＣＤ系の光記録媒体３９ａ，３９ｂ，３９ｃに対応する。開口数（ＮＡ）は、それぞれＮＡ０．８５，ＮＡ０．６５，ＮＡ０．５０であり、第１，第２，第３の光源の波長λ１，λ２，λ３は、それぞれλ１＝３９５〜４１５ｎｍ，λ２＝６５０〜６７０ｎｍ，λ３＝７７０〜８０５ｎｍである。
【００４１】
図５に示す光ピックアップは、ＢＤ系光記録媒体３９ａに対して、半導体レーザ３１，コリメートレンズ３２，偏光ビームスプリッタ３３，波長選択性ビームスプリッタ３４，偏向プリズム３５，１／４波長板３６，収差補正素子（回折素子）３７，対物レンズ３８，検出レンズ４０，受光素子４２により構成される。第１の光源である半導体レーザ３１の中心波長は４０５ｎｍであり、対物レンズ３８の開口数（ＮＡ）は０．８５である。前記収差補正素子（回折素子）３７，対物レンズ３８とが、前記実施形態の構成のように単一のレンズホルダ１に設けられている。また、ＢＤ系光記録媒体３９ａの基板厚は０．１ｍｍである。
【００４２】
半導体レーザ３１の出射光は、コリメートレンズ３２により略平行光にされる。コリメートレンズ３２を通過した光は偏光ビームスプリッタ３３に入射し、偏向プリズム３５により偏向される。そして、１／４波長板３６で円偏光に変換され、収差補正素子３７，対物レンズ３８を介してＢＤ系光記録媒体３９ａに集光されることにより、情報の記録，再生がされる。そして、ＢＤ系光記録媒体３９ａからの反射光は１／４波長板３６を通過した後、往路の光の偏光方向とは直交する直線偏光に変換され、偏光ビームスプリッタ３３により反射，入射光と分離して偏向され、検出レンズ４０により受光素子４２上に導かれ、再生信号，フォーカス誤差信号，トラック誤差信号が検出される。
【００４３】
なお、この光ピックアップにおいては、ＤＶＤ系光記録媒体３９ｂ用のレーザ光と、ＣＤ系光記録媒体３９ｃ用のレーザ光と発生する２波長レーザユニット５０を有しており、すなわち、互いに波長の異なるレーザ光を出射することができる。
【００４４】
また、ＤＶＤ系光記録媒体３９ｂに対して、中心波長が６６０ｎｍのＤＶＤ系半導体レーザ４３ａから出射した光は、コリメートレンズ４５，波長選択性ビームスプリッタ３４を経て、偏向プリズム３５により偏向される。そして、１／４波長板３６，収差補正素子３７，対物レンズ３８を介して、ＤＶＤ系光記録媒体３９ｂに集光される。このＤＶＤ系光記録媒体３９ｂの基板厚は０．６ｍｍであり、開口数（ＮＡ）は０．６５である。ＮＡの切替えは、収差補正素子３７により制限される。そして、ＤＶＤ系光記録媒体３９ｂからの反射光は対物レンズ３８，１／４波長板３６を通過した後、波長選択性ビームスプリッタ３４により偏向され、ホログラム素子４４により入射光と分離してＤＶＤ系受光素子４３ｂ上に導かれ、再生信号，フォーカス誤差信号，トラック誤差信号が検出される。
【００４５】
さらに、ＣＤ系光記録媒体３９ｃに対して、中心波長が７８５ｎｍのＣＤ系半導体レーザ４６ａから出射した光は、コリメートレンズ４５，波長選択性ビームスプリッタ３４を経て、偏向プリズム３５により偏向される。そして、１／４波長板３６，収差補正素子３７，対物レンズ３８を介して、ＣＤ系光記録媒体３９ｃに集光される。このＣＤ系光記録媒体３９ｃの基板厚は１．２ｍｍであり、対物レンズの開口数（ＮＡ）は０．５０である。ＮＡの切替えは、収差補正素子３７により制限される。そして、ＣＤ系光記録媒体３９ｃからの反射光は対物レンズ３８，１／４波長板３６を通過した後、波長選択性ビームスプリッタ３４により偏向され、ホログラム素子４４により入射光と分離してＣＤ系受光素子４６ｂ上に導かれ、再生信号，フォーカス誤差信号，トラック誤差信号が検出される。
【００４６】
図６は本発明に係る前記実施形態の構成の光ピックアップを搭載した光学式記録再生装置の概略構成を示すブロック図であって、光記録媒体に対する情報の再生、記録、消去のうちの、少なくとも１つを行う装置である。
【００４７】
本実施形態では、図５に示す光ピックアップに相当する光ピックアップ５１を備えて構成されている。そして光記録媒体３９を回転駆動するスピンドルモータ５８と、情報信号の記録再生を行うにあたって使用される光ピックアップ５１と、光ピックアップ５１を光記録媒体３９の内外周に移動操作するための送りモータ５２と、所定の変調および復調処理を行う変復調回路５４と、光ピックアップ５１のサーボ制御などを行うサーボ制御回路５３と、光情報処理装置の全体の制御を行うシステムコントローラ５６とを備えている。
【００４８】
スピンドルモータ５８は、サーボ制御回路５３により駆動制御され、所定の回転数で回転駆動される。すなわち、記録再生の対象となる光記録媒体３９は、スピンドルモータ５８の駆動軸上にチャッキングされ、サーボ制御回路５３により駆動制御される。このスピンドルモータ５８によって、所定の回転数で回転駆動される。
【００４９】
光ピックアップ５１は、光記録媒体３９に対する情報信号の記録および再生を行うとき、前述したように、回転駆動される光記録媒体３９に対してレーザ光を照射し、その反射光を検出する。この光ピックアップ５１は、変復調回路５４に接続されている。そして、情報信号の記録を行う際には、外部回路５５から入力され変復調回路５４によって所定の変調処理が施された信号が光ピックアップ５１に供給される。光ピックアップ５１は、変復調回路５４から供給される信号に基づいて、光記録媒体３９に対して、光強度変調が施されたレーザ光を照射する。また、情報信号の再生を行う際には、光ピックアップ５１は、回転駆動される光記録媒体３９に対して、一定の出力のレーザ光を照射し、その戻り光から再生信号が生成され、この再生信号が変復調回路５４に供給される。
【００５０】
また、光ピックアップ５１は、サーボ制御回路５３にも接続されている。そして、情報信号の記録再生時に、回転駆動される光記録媒体３９によって反射されて戻ってきた戻り光から、前述したように、フォーカスサーボ信号およびトラッキングサーボ信号が生成され、それらのサーボ信号がサーボ制御回路５３に供給される。
【００５１】
変復調回路５４は、システムコントローラ５６および外部回路５５に接続されている。この変復調回路５４は、情報信号を光記録媒体３９に記録するときには、システムコントローラ５６による制御のもとで、光記録媒体３９に記録する信号を外部回路５５から受け取り、この信号に対して所定の変調処理を施す。
【００５２】
変復調回路５４によって変調された信号は、光ピックアップ５１に供給される。また、変復調回路５４は、情報信号を光記録媒体３９から再生するときには、システムコントローラ５６による制御のもとで、光記録媒体３９から再生された再生信号を光ピックアップ５１から受け取り、再生信号に対して所定の復調処理を施す。そして、変復調回路５４によって復調された信号は、変復調回路５４から外部回路５５へ出力される。
【００５３】
送りモータ５２は、情報信号の記録および再生を行うとき、光ピックアップ５１を光記録媒体３９の半径方向で所定の位置に移動させるためのものであり、サーボ制御回路５３からの制御信号に基づいて駆動される。すなわち、送りモータ５２は、サーボ制御回路５３に接続されており、サーボ制御回路５３により制御される。
【００５４】
サーボ制御回路５３は、システムコントローラ５６による制御のもとで、光ピックアップ５１が光記録媒体３９に対向する所定の位置に移動されるように、送りモータ５２を制御する。また、サーボ制御回路５３は、スピンドルモータ５８にも接続されており、システムコントローラ５６による制御のもとで、スピンドルモータ５８の動作を制御する。すなわち、サーボ制御回路５３は、光記録媒体３９に対する情報信号の記録および再生時に、光記録媒体３９が所定の回転数で回転駆動されるように、スピンドルモータ５８を制御する。
【００５５】
また、光記録媒体の種類を判別する方法として、トラッキングサーボ信号やフォーカスサーボ信号を用いても良い。
【００５６】
複数種の光記録媒体に記録および再生処理する光学的記録／再生装置に本発明の光ピックアップを具備することにより、基板厚の異なる光記録媒体に情報の記録，再生を行う品質の精度を高めることができる。
【産業上の利用可能性】
【００５７】
本発明は、ＢＤ系あるいはＨＤ系とＣＤ系，ＤＶＤ系などの各種光記録媒体にビームを集光させる対物レンズを駆動するレンズアクチュエータ、そのレンズアクチュエータを搭載する各種の光ピックアップ，光学式記録／再生装置に適用することができる。
【図面の簡単な説明】
【００５８】
【図１】本発明の実施形態１のレンズアクチュエータにおけるレンズホルダの一部断面図
【図２】本実施形態１のレンズホルダの傾斜面形成を説明する図
【図３】本発明の実施形態２のレンズアクチュエータにおけるレンズホルダの一部断面図
【図４】本発明の実施形態３のレンズアクチュエータにおけるレンズホルダの一部断面図
【図５】本発明に係る前記各実施形態の構成の対物レンズアクチュエータを搭載した光ピックアップ装置の概略構成図
【図６】本発明に係る実施形態の光ピックアップを搭載した光学式記録再生装置の概略構成を示すブロック図
【図７】（ａ）〜（ｃ）は従来の対物レンズアクチュエータを搭載した光ピックアップの構成図であって、（ａ）は正面図、（ｂ）は側面図、（ｃ）は底面図
【図８】従来の光ピックアップの（ａ）は断面図、（ｂ）は（ａ）のＡ−Ａ’線の断面から見た回折素子の投影形状を示す図
【図９】従来の光ピックアップの（ａ）は断面図、（ｂ）は傾斜させた円筒穴を示す図
【図１０】従来の光ピックアップの回折素子を垂直に配置した断面図
【符号の説明】
【００５９】
１  レンズホルダ
１ａ  円筒穴
１ｂ  傾斜面
１ｃ  円筒面
１ｄ  角部
２，３８  対物レンズ
３，３７  回折素子（収差補正素子）
３ｂ  平面
３ｃ  側面
３ｄ  角部
３９，３９ａ，３９ｂ，３９ｃ  光記録媒体
５１  光ピックアップ
【図１】
2009004025.tif 000003
【図２】
2009004025.tif 000004
【図３】
2009004025.tif 000005
【図４】
2009004025.tif 000006
【図５】
2009004025.tif 000007
【図６】
2009004025.tif 000008
【図７】
2009004025.tif 000009
【図８】
2009004025.tif 000010
【図９】
2009004025.tif 000011
【図１０】
2009004025.tif 000012